(57)【要約】      （修正有）【課題】簡便な支持具により鉄筋の自重による歪みを解消し確実な結束固定を可能とすることができ、縦鉄筋と横鉄筋の間隔を確実に維持できる横鉄筋の仮止め用置き金具を提供する。【解決手段】横鉄筋鋼棒を圧着固定する、スライド型逆Ｊ型アーム１を、横鉄筋鋼棒受けを目的とするＪ型アーム２に押圧する機構として、スライド型逆Ｊ型アーム支持鋼棒軸部２０に取り付けたバネ付金具１０を引き下げることにより、横鉄筋の押圧固定が獲得できる。【選択図】図１
0003131192.tif 000002
【実用新案登録請求の範囲】
【請求項１】
本体の中心部には滑動自在で、上下にスライドする鋼棒の軸部を有し、鋼棒軸には逆Ｊ型アームが複数固定され、バネ部と固定金具により構成され、本体部には鉄筋鋼棒を受ける複数のＪ型アームを有し、逆Ｊ型アームとＪ型アームにより鉄筋鋼棒を圧着固定する構造を特徴とする鉄筋施工工事における横鉄筋の仮止め用置き金具である。
【考案の詳細な説明】
【技術分野】
【０００１】本考案は擁壁工事など比較的太くて長く重量のある鉄筋を使用する鉄筋工事において縦鉄筋と横鉄筋の結束および固定を一定の幅で維持、固定する横鉄筋の仮止め用置き金具に関するものである。
【背景技術】
【０００２】従来、擁壁工事など比較的太くて長く重量のある鉄筋を使用する鉄筋工事において、基礎部分から立ち上がる縦鉄筋と、その縦鉄筋に直角に配置する横鉄筋は鉄筋コンクリート構造物における重要な基礎構造部分に相当するが、特に横鉄筋の擁壁工事現場における取り付けおよび結束には多くの労働力を必要とし、多くの時間を費やす工程であるが、そこで様々な規模の擁壁鉄筋工事において対応できる横鉄筋の仮止め用置き金具の設計を提供する。
【考案の開示】
【考案が解決しようとする課題】
【０００３】従来の工法は、縦鉄筋を基礎部分から立ち上げた時点で、４〜５人により所定の間隔で横鉄筋を１本毎、結束固定する方法などが主流であり、多くの労働力を必要とし作業効率も低いものであった。しかも、従来の鉄筋組み立て工法は縦鉄筋と横鉄筋との結束固定に際し、縦鉄筋に横鉄筋の取り付け位置を示すマーキングの設置が必要とする他、鉄筋固定までの工程中に横鉄筋を支持固定する作業員を必要としていた。
また、横鉄筋の自重により下方に弛む現象が避けられず、縦鉄筋と横鉄筋との間隔が不均一になる欠点があった。【０００４】しかし、本考案の横鉄筋の仮止め用置き金具により上記欠点を除去し、擁壁工事など比較的太くて長く重量のある鉄筋を使用する鉄筋工事現場において、作業員の労力負担が軽減され、作業人員の削減と作業時間が短縮され、しかも安全な横鉄筋の取り付けが容易になり、縦鉄筋と横鉄筋の間隔を確実に確保し品質を向上することができ、鉄筋コンクリート構造物における高品質な構築物を提供可能とする横鉄筋の仮止め用置き金具を提供するものである。
【課題を解決するための手段】
【０００５】前記課題を解決するため、本考案に係る横鉄筋の仮止め用置き金具は擁壁工事など比較的太くて長く重量のある鉄筋を使用する鉄筋工事において、縦鉄筋と横鉄筋の結束および固定を一定の幅で維持、固定することを目的とし、横鉄筋の仮止め用置き金具を複数個使用することにより、鉄筋コンクリート構造物の基礎構造材としての鉄筋が容易にしかも確実に組上げられるこができる。【０００６】鉄筋の組上げの重要な要素であり、本考案の請求項記載の横鉄筋の仮止め用置き金具は、縦鉄筋柱に対し鉄筋鋼棒受Ｊ型アームを等間隔で固定し、この鉄筋鋼棒受Ｊ型アームに対して、スライド圧着を目的とする、逆Ｊ型アームを持つ構造により、横鉄筋を等間隔で圧着固定できる機能を持つものである。
【考案の効果】
【０００７】本考案によると、横鉄筋を丘組みし縦鉄筋に対し多数の横鉄筋を結束固定することを補完することが特徴であり、本考案、横鉄筋の仮止め用置き金具は大きな面積をもつ擁壁鉄筋工事など、鉄筋重量が長大な場合に丘組みされた横鉄筋群をクレーン等により取り付けることを可能とするとともに、工期の短縮および作業員の労力の軽減および削減を可能とすることを特徴とする横鉄筋の仮止め用置き金具である。【０００８】また、横鉄筋の仮止め用置き金具は、簡便な支持具により鉄筋の自重による歪みを解消し確実な結束固定を可能とすることができ、縦鉄筋と横鉄筋の間隔を確実に維持できることを特徴とする横鉄筋の仮止め用置き金具である。
【考案を実施するための最良の形態】
【実施例】
【０００９】以下、本考案の実施一形態を図１、図２、図３を参照して詳細に説明する。図１は本考案の横鉄筋の仮止め用置き金具Ｘの立面図および側面図であり、ａ）は側面図、ｂ）は正面図、ｃ）は裏よりの正面図、であり横鉄筋の仮止め用置き金具Ｘの構造を示すものであり、本考案金具の特徴である、横鉄筋鋼棒を圧着固定する、スライド型逆Ｊ型アーム１を、横鉄筋鋼棒受けを目的とするＪ型アーム２に押圧する機構として、スライド型逆Ｊ型アーム支持鋼棒軸部２０に取り付けたバネ付金具１０を引き下げることにより、横鉄筋の押圧固定が獲得できる。【００１０】本考案の図２において説明すると、横鉄筋の仮止め用置き金具Ｘに、横鉄筋鋼棒Ｙを乗せた状態であるが、横鉄筋鋼棒Ｙを固定固着用バネ付き留金具１０を押し下げることにより、本考案横鉄筋の仮止め用置き金具Ｘは横鉄筋鋼棒Ｙを固定固着することができる。【００１１】図３は擁壁工事における配筋図であり、本考案横鉄筋の仮止め用置き金具Ｘを用い、横鉄筋鋼棒Ｙに縦鉄筋鋼棒Ｚを組み合わせた状態を示すが、擁壁工事に使用される鉄筋は比較的太く、しかも長く重量のある鉄筋を使用するため、縦鉄筋鋼棒Ｚが基礎部から立ち上げてから、横鉄筋鋼棒Ｙを固定する作業になる。【００１２】従って、基礎部分から立ち上がる、縦鉄筋鋼棒Ｚに対して、予め本考案横鉄筋の仮止め用置き金具を用い横鉄筋鋼棒Ｙを固定固着した、横鉄筋構造体を、クレーンにより、横鉄筋の仮止め用置き金具Ｘ結束穴部分３０本体に結束したワイヤー４０により吊り上げ作業を行い、基礎部から立ち上がる、縦鉄筋鋼棒Ｚに対して縦横鉄筋構造体を仕上げ、基礎施工である鉄筋敷設工事における重要な要素になる。
【産業上の利用可能性】
【００１３】本考案における、横鉄筋鋼棒Ｙの仮止め用置き金具は擁壁工事など比較的太くて長く重量のある鉄筋を使用する鉄筋工事において、縦鉄筋鋼棒Ｚと横鉄筋鋼棒Ｙの結束および固定固着を一定の幅で維持することが、鉄筋コンクリート構造物の基礎構造材として、鉄筋が確実に等間隔で組上げられているかが重要な要素であることから、確実な鉄筋組上げを、本考案横鉄筋の仮止め用置き金具Ｘが提供するものである。
【図面の簡単な説明】
【００１４】
【図１】本考案の横鉄筋の仮止め用置き金具の立面図  ａ）側面図  ｂ）正面図  ｃ）裏正面図
【図２】本考案の横鉄筋の仮止め用置き金具に横鉄筋が組まれた状態を示す斜視図
【図３】本考案の横鉄筋の仮止め用置き金具により固定圧着した状態で、縦鉄筋に固定固着した状態を示す正面図
【符号の説明】
【００１５】Ｘ  本考案横鉄筋の仮止め用置き金具
Ｙ  横鉄筋鋼棒
Ｚ  縦鉄筋鋼棒
１  スライド型逆Ｊ型アーム
２  横鉄筋鋼棒受けを目的とするＪ型アーム
１０  固定固着用バネ付き留金具
１１  スライド型逆Ｊ型アーム開放バネ部
２０  スライド型逆Ｊ型アーム支持鋼棒軸部
２１  横鉄筋鋼棒受けを目的とするＪ型アーム支持固定部
３０  結束穴部分
４０  クレーンから吊り下げ用ワイヤー
【図１】
0003131192.tif 000003
【図２】
0003131192.tif 000004
【図３】
0003131192.tif 000005